(57)【要約】【課題】転写紙を原稿台の原点からずらして読み取る画像形成装置、画像形成方法、プログラムおよびコンピュータ読み取り可能な記録媒体を提供する。【解決手段】テストパターン出力が行なわれる。その後、全紙種が排紙完了か否かが判断される。排紙完了と判断された場合、操作表示部２０１に原台にテストパターンをセットし、開始押下と表示する。表示後、圧板を開けた状態で、テストパターンと原稿台の原点の間に隙間をあけた状態で原稿をセットし、スタートボタンが押下されたか否かが判断される。読み取り後、読み取った画像を画像記憶部２０３に記憶する。その後、画像記憶部２０３に記憶された画像より、転写紙先端とテストパターン先端の部分を画像認識部２０６にて、抽出する。抽出した転写紙先端とテストパターン先端との距離を距離測定部２０７にて、測定し、調整を行う。【選択図】図２
2008281950.tif 000002
【特許請求の範囲】
【請求項１】
転写紙と、転写紙上の画像位置を調整する調整用テストパターンとを出力する出力手段を有し、
前記出力手段は、ユーザが原稿台の原点からずらして前記転写紙を設置した状態で、前記転写紙を出力し、
前記出力した前記調整用テストパターンを基に、調整を行うことを特徴とする画像形成装置。
【請求項２】
出力された前記転写紙と、前記調整用テストパターンを読み取る画像入力手段と、
入力された入力画像を記憶する記憶手段と、
記憶された前記入力画像より、前記調整テストパターンと、転写紙端とを認識する認識手段と、
前記調整用テストパターンと、前記転写紙端との距離を測定する測定手段と、
測定された距離から調整値を演算する制御手段とをさらに有し、
前記調整は、
前記認識手段で認識した入力画像の一部に注目し、
前記測定手段で前記注目した画像の一部において前記距離を測定し、
前記制御手段で測定した前記距離からずれ量を演算し、演算した前記ずれ量から調整値を求め、
前記調整値を基に行うことを特徴とする請求項１に記載の画像形成装置。
【請求項３】
前記調整値を保持記憶する調整値記憶手段をさらに有することを特徴とする請求項１または２に記載の画像形成装置。
【請求項４】
前記調整は、
前記転写紙の先端と、
前記入力画像の先端とで行うことを特徴とする請求項３に記載の画像形成装置。
【請求項５】
前記調整は、
前記転写紙の手前の端と、
前記入力画像の手前の端とで行うことを特徴とする請求項３に記載の画像形成装置。
【請求項６】
前記調整は、
前記転写紙の先端と、
前記入力画像の先端とを紙種毎に行うことを特徴とする請求項３に記載の画像形成装置。
【請求項７】
前記調整は、
前記転写紙の手前の端と、
前記入力画像の手前の端とを給紙段毎に行うことを特徴とする請求項３に記載の画像形成装置。
【請求項８】
前記出力手段は、装着される給紙段分、順番に出力することを特徴とする請求項３に記載の画像形成装置。
【請求項９】
前記出力手段は、紙種分、順番に出力することを特徴とする請求項３に記載の画像形成装置。
【請求項１０】
前記制御手段は、前記調整を行う給紙段を個別に設定するように制御することを特徴とする請求項３に記載の画像形成装置。
【請求項１１】
前記制御手段で設定する前記給紙段を選択可能な表示手段をさらに有することを特徴とする請求項１０に記載の画像形成装置。
【請求項１２】
前記表示手段は、前記調整値を設定可能とすることを特徴とする請求項１１に記載の画像形成装置。
【請求項１３】
前記表示手段は、調整したい項目を設定可能とすることを特徴とする請求項１１に記載の画像形成装置。
【請求項１４】
前記表示手段は、前記調整値を調整前の値に戻すか否かを選択可能とすることを特徴とする請求項１２に記載の画像形成装置。
【請求項１５】
前記表示手段は、出力する前記テストパターンを選択可能とすることを特徴とする請求項１２に記載の画像形成装置。
【請求項１６】
転写紙と、転写紙上の画像位置とを調整する調整用テストパターンを出力する出力工程と、
出力後、ユーザが原稿台の原点からずらして前記転写紙を設置した状態で、前記転写紙と、前記調整用テストパターンとを読み取る画像入力工程と、
入力された入力画像を記憶する記憶工程と、
記憶された前記入力画像より、前記調整テストパターンと、転写紙端とを認識する認識工程と、
前記調整テストパターンと、前記転写紙端との距離を測定する測定工程と、
測定された距離から調整値を演算する制御工程とを有することを特徴とする画像形成方法。
【請求項１７】
前記調整値を保持記憶する調整値記憶工程をさらに有することを特徴とする請求項１４または１７に記載の画像形成方法。
【請求項１８】
転写紙と、転写紙上の画像位置とを調整する調整用テストパターンを出力する出力処理と、
出力後、ユーザが原稿台の原点からずらして前記転写紙を設置した状態で、前記転写紙と、前記調整用テストパターンとを読み取る画像入力処理と、
入力された入力画像を記憶する記憶処理と、
記憶された前記入力画像より、前記調整テストパターンと、転写紙端とを認識する認識処理と、
前記調整テストパターンと、前記転写紙端との距離を測定する測定処理と、
測定された距離から調整値を演算する制御処理とをコンピュータに実行させることを特徴とするプログラム。
【請求項１９】
前記調整値を保持記憶する調整値記憶処理をさらに有することを特徴とする請求項１８に記載のプログラム。
【請求項２０】
請求項１８または１９に記載のプログラムをコンピュータ読み取り可能な記録媒体。
【発明の詳細な説明】
【技術分野】
【０００１】
本発明は、画像と転写紙の位置調整を行う画像形成装置、画像形成方法、プログラムおよびコンピュータ読み取り可能な記録媒体に関する。
【背景技術】
【０００２】
近年、電子化された情報を出力するプリンタやファクシミリ、書類の電子化に用いるスキャナ等の画像処理装置が活用され、このような画像処理装置は、撮像機能、画像形成機能及び通信機能等を備えることにより、プリンタ、ファクシミリ、スキャナ、複写機として利用可能な画像形成装置（復合器）として構成される。
【０００３】
上記の画像形成装置においては、原稿をスキャナで読み取り、読み取った画像データに基づいて、変調されたレーザ光により感光体に書き込みを行って潜像を形成し、形成された潜像に現像器を介してトナーを付着させ、付着されたトナー像を、転写手段を用いて給紙装置から搬送されてきた転写紙に転写するというプロセスを有する。
【０００４】
このプロセスにおいては、レーザ書き込みユニットの書き込みタイミングにずれが生じる、あるいは、給紙、搬送装置の組み付け精度が悪い、あるいは、搬送速度、給紙タイミングにばらつきが生じる等により、転写紙と、画像のレジスト位置（画像形成位置）とにずれが生じる。
【０００５】
上記のずれにより、画像のレジスト位置を基準値に合致させるためにレーザ書き込みユニットの書き込みタイミング、給紙装置の給紙タイミング等を調整する必要がある。
【０００６】
従来この調整においては、テストチャートをスキャナで読み込ませ、読み込んだ画像からレジストに対するずれ量を定規等で計測し、その距離から補正値を計算し、その補正値を操作パネル等からの入力によりＣＰＵ等に与え、レーザ書き込みユニットの書き込みタイミング、給紙装置の給紙タイミング等を正規のタイミングに補正するという方式が用いられてきた。
【０００７】
また、従来の画像形成装置の位置調整方式においては、理想的な位置として、テストパターンを出力し、定規などで利用して、ずれ値を測定し、調整値を入力していた。そして再度テストパターン出力という作業を繰り返していた。また定規が不要なようにメモリがついたテストパターンを出力し、ずれ値の測定を省略していた。これに関連する従来の技術を次に開示する。
【０００８】
特許文献１では、画像入力手段で、対象画像が形成された記録材および記録材が設けられる背景体の画像である取得画像を表す入力画像データを得ると、抽出手段で、入力画像データから記録材の画像である記録材画像を表す記録材画像データを抽出し、記録材画像データに基づいて、演算処理手段で、記録材に対する対象画像の形成位置の目標位置に対するずれ量を求め、画像形成装置における対象画像の形成位置を補正するための補正値を求める画像形成位置調整装置が提案されている。
【０００９】
特許文献２では、画像形成部１の調整の際には、テストチャートなどの画像を記録材に形成し、その記録材に形成された画像を読取部２で読み取り、読み取った画像データをもとに、調整部３は調整の可否を判断し、調整量を算出して記憶部４に設定する。この設定工程においては、平行度調整、直角度調整、倍率調整などの画像自体の形状を調整する画像形状調整を先に行い、その後にサイドスキュー調整、リードレジ調整、サイドレジ調整、表裏レジ調整などの記録材に対する画像の位置を調整する画像形成位置調整を行う。このように調整順序を規制することによって、調整の繰り返しなどの無駄を防ぐとともに、均一な調整状態を確保し、調整作業を効率よく進め、常に均一な調整状態が得られる画像形成装置及び画像調整方法が提案されている。
【００１０】
特許文献３では、目盛りパターン１２からなる画像形成位置調整用パターン１１を印刷する印刷手段３と、画像形成位置調整モードを入力する操作手段２と、画像形成位置調整用パターンを保持するメモリ手段４と、印刷された画像形成位置調整用パターンから読み取られたレジスト補正値が操作手段２に入力されるとこの補正値をメモリ手段４に記憶させる制御手段１とを備え、簡単にかつ精度の高い画像形成位置調整（レジスト調整）を行うことができる画像形成装置が提案されている。
【特許文献１】特開２００４−２５５６４６号公報
【特許文献２】特開２００５−１７６０１９号公報
【特許文献３】特開２００６−３０５９８４号公報
【発明の開示】
【発明が解決しようとする課題】
【００１１】
しかし、特許文献１から３のいずれも、最初からずれたテストパターンを出力し、原稿台の原点と、テストパターンとの間に隙間をあけた状態での原稿読み込み、それを基に、画像形成位置のずれを調整することの示唆がなされていない。また、この調整方法による効果についても何ら示唆されていない。
【００１２】
そこで本発明は、転写紙を原稿台の原点からずらして読み取る画像形成装置、画像形成方法、プログラムおよびコンピュータ読み取り可能な記録媒体を提供することを目的とする。
【課題を解決するための手段】
【００１３】
上記の目的を達成するため、請求項１に記載の発明は、転写紙と、転写紙上の画像位置を調整する調整用テストパターンとを出力する出力手段を有し、前記出力手段は、ユーザが原稿台の原点からずらして前記転写紙を設置した状態で、前記転写紙を出力し、前記出力した前記調整用テストパターンを基に、調整を行う画像形成装置であることを特徴とする。
【００１４】
請求項２に記載の発明は、請求項１に記載の画像形成装置において、出力された前記転写紙と、前記調整用テストパターンを読み取る画像入力手段と、入力された入力画像を記憶する記憶手段と、記憶された前記入力画像より、前記調整テストパターンと、転写紙端とを認識する認識手段と、前記調整用テストパターンと、前記転写紙端との距離を測定する測定手段と、測定された距離から調整値を演算する制御手段とをさらに有し、前記調整は、前記認識手段で認識した入力画像の一部に注目し、前記測定手段で前記注目した画像の一部において前記距離を測定し、前記制御手段で測定した前記距離からずれ量を演算し、演算した前記ずれ量から調整値を求め、前記調整値を基に行うことを特徴とする。
【００１５】
請求項３に記載の発明は、請求項１または２に記載の画像形成装置において、前記調整値を保持記憶する調整値記憶手段をさらに有することを特徴とする。
【００１６】
請求項４に記載の発明は、請求項３に記載の画像形成装置において、前記調整は、前記転写紙の先端と、前記入力画像の先端とで行うことを特徴とする。
【００１７】
請求項５に記載の発明は、請求項３に記載の画像形成装置において、前記調整は、前記転写紙の手前の端と、前記入力画像の手前の端とで行うことを特徴とする。
【００１８】
請求項６に記載の発明は、請求項３に記載の画像形成装置において、前記調整は、前記転写紙の先端と、前記入力画像の先端とを紙種毎に行うことを特徴とする。
【００１９】
請求項７に記載の発明は、請求項３に記載の画像形成装置において、前記調整は、前記転写紙の手前の端と、前記入力画像の手前の端とを給紙段毎に行うことを特徴とする。
【００２０】
請求項８に記載の発明は、請求項３に記載の画像形成装置において、前記出力手段は、装着される給紙段分、順番に出力することを特徴とする。
【００２１】
請求項９に記載の発明は、請求項３に記載の画像形成装置において、前記出力手段は、紙種分、順番に出力することを特徴とする。
【００２２】
請求項１０に記載の発明は、請求項３に記載の画像形成装置において、前記制御手段は、前記調整を行う給紙段を個別に設定するように制御することを特徴とする。
【００２３】
請求項１１に記載の発明は、請求項１０に記載の画像形成装置において、前記制御手段で設定する前記給紙段を選択可能な表示手段をさらに有することを特徴とする。
【００２４】
請求項１２に記載の発明は、請求項１１に記載の画像形成装置において、前記表示手段は、前記調整値を設定可能とすることを特徴とする。
【００２５】
請求項１３に記載の発明は、請求項１１に記載の画像形成装置において、前記表示手段は、調整したい項目を設定可能とすることを特徴とする。
【００２６】
請求項１４に記載の発明は、請求項１２に記載の画像形成装置において、前記表示手段は、前記調整値を調整前の値に戻すか否かを選択可能とすることを特徴とする。
【００２７】
請求項１５に記載の発明は、請求項１２に記載の画像形成装置において、前記表示手段は、出力する前記テストパターンを選択可能とすることを特徴とする。
【００２８】
請求項１６に記載の発明は、転写紙と、転写紙上の画像位置とを調整する調整用テストパターンを出力する出力工程と、出力後、ユーザが原稿台の原点からずらして前記転写紙を設置した状態で、前記転写紙と、前記調整用テストパターンとを読み取る画像入力工程と、入力された入力画像を記憶する記憶工程と、記憶された前記入力画像より、前記調整テストパターンと、転写紙端とを認識する認識工程と、前記調整テストパターンと、前記転写紙端との距離を測定する測定工程と、測定された距離から調整値を演算する制御工程とを有する画像形成方法であることを特徴とする。
【００２９】
請求項１７に記載の発明は、請求項１６に記載の画像形成方法において、前記調整値を保持記憶する調整値記憶工程をさらに有することを特徴とする。
【００３０】
請求項１８に記載の発明は、転写紙と、転写紙上の画像位置とを調整する調整用テストパターンを出力する出力処理と、出力後、ユーザが原稿台の原点からずらして前記転写紙を設置した状態で、前記転写紙と、前記調整用テストパターンとを読み取る画像入力処理と、入力された入力画像を記憶する記憶処理と、記憶された前記入力画像より、前記調整テストパターンと、転写紙端とを認識する認識処理と、前記調整テストパターンと、前記転写紙端との距離を測定する測定処理と、測定された距離から調整値を演算する制御処理とをコンピュータに実行させるプログラムであることを特徴とする。
【００３１】
請求項１９に記載の発明は、請求項１８に記載のプログラムにおいて、前記調整値を保持記憶する調整値記憶処理をさらに有することを特徴とする。
【００３２】
請求項２０に記載の発明は、請求項１８または１９に記載のプログラムを読み取り可能な記録媒体であることを特徴とする。
【発明の効果】
【００３３】
本発明によれば、実際の画像と転写紙のずれ量を計算し、調整値へ反映し、そのテストパターンを自動的に出力することにより、簡単に調整でき、かつ調整する時間を短縮する画像形成装置、画像形成方法、プログラムおよびコンピュータ読み取り可能な記録媒体を提供可能とする。
【発明を実施するための最良の形態】
【００３４】
本発明を実施する好適な実施の形態について説明する。
【００３５】
本実施形態の画像形成装置の構成の一例について図１を用いて説明する。図１は、本実施形態に関わる画像形成装置の構成の一例を示す概観図である。
【００３６】
本実施形態の画像形成装置は、画像形成部１０２として、４個の感光体とＬＤを有し、転写体として中間転写体を有する複写機の一例である。
【００３７】
転写紙は、トレイ給紙部１０３、またはトレイ給紙部１０４にセットされる。レジスト部１０５は、たわみを作成することにより、転写紙のスキュー補正を行う。
【００３８】
中間転写部１０６は、感光体にて形成された画像を重ねる。定着部１０７は、転写紙上に転写されたトナーを熱定着させる。
【００３９】
排紙部１０８には、定着された紙が排紙される。操作部１００は、ユーザにより設定可能とする。読み取り部１０１は、画像を読み取る。
【００４０】
本実施形態の画像形成装置の内部構成について図２を用いて説明する。図２は本実施形態の画像形成装置の制御ブロック図である。
【００４１】
本実施形態に係る画像形成装置は、表示手段としての操作表示部２０１と、画像入力手段としての画像入力部２０２と、記憶手段としての画像記憶部２０３と、制御手段としてのメイン制御部２０４と、出力手段としての画像出力部２０５と、認識手段としての画像認識部２０６と、測定手段としての距離測定部２０７と、調整値記憶手段としての調整値記憶部２０８とを有する構成である。
【００４２】
操作表示部２０１は、ユーザがモードなどを設定したり、読み取ったデータを表示することを可能とする。
【００４３】
画像記憶部２０３は、画像入力部２０２で読み取られた原稿の画像を記憶する。
【００４４】
画像出力部２０５は、画像を出力する。転写紙と、転写紙上の画像位置とを調整する調整用テストパターンを出力する。
【００４５】
画像入力部２０２は、原稿を読み取る。出力された前記転写紙と、前記調整用テストパターンとを読み取る。
【００４６】
画像認識部２０６は、画像記憶部２０３で記憶した画像より、距離測定に必要な画像部分を認識する。つまりは、調整テストパターンと、転写紙端とを認識する。
【００４７】
距離測定部２０７は、画像認識部２０６より認識された画像から距離を測定する。つまりは、調整テストパターンと、転写紙端との距離を測定する。
【００４８】
メイン制御部２０４は、上記各部位を制御する。操作部への表示、画像出力の制御、測定の制御を行う。
【００４９】
調整値記憶部２０８は、調整した調整値を保持記憶する。
【実施例１】
【００５０】
上述した本発明に係る画像形成装置の構成において、好適に実施する第１の実施例を次に詳細に説明する。
【００５１】
本実施例に係る画像形成装置の画像処理について図１、図２、図３、図４、図５を用いて説明する。
図３（ａ）は、調整を行う前に出力するテストパターンを表す。
図３（ｂ）は、調整値を調整し、設定した後に出力する調整後のテストパターンを表す。
図４（ａ）は、図３（ａ）を転写紙に出力し、読み取り部１０１にて読み取り後の画像記憶部２０３にて記憶される画像のイメージを表す。
図４（ｂ）は、画像記憶部２０３に記憶されている画像より、測定する個所を表す。
図５は、調整するテストパーンの出力と読み取り、調整値設定の流れを表すフローチャートである。
【００５２】
調整動作の流れは、次のようになる。ユーザは、操作部１００において紙種を選択する（ステップＳ５０１）。
【００５３】
ユーザは、紙種選択後、給紙段のトレイを選択する（ステップＳ５０２）。
【００５４】
その後、ユーザにより、出力する指示によりメイン制御部２０４は、操作表示部２０１に設定された内容に従い、図３（ａ）に示すテストパターンを画像出力部２０５に指示し、画像が出力される（ステップＳ５０３）。
【００５５】
出力した画像は、排紙部２０８に排紙される（ステップＳ５０４）。
【００５６】
排紙後、メイン制御部２０４は、"原台にテストパターンをセットし、操作表示部２０１にスタート押下"と表示させる（ステップＳ５０５）。
【００５７】
そして圧板を開けた状態で、ユーザは、テストパターンと原稿台の原点の間に隙間をあけた状態で原稿をセットし、メイン制御部２０４は、スタートボタン押下の検出が行われたか否かを判断する（ステップＳ５０６）。
【００５８】
スタートボタン押下が検出されたと判断された場合（ステップＳ５０６／ＹＥＳ）、画像入力部２０２にて原稿を読み取る（ステップＳ５０７）。スタートボタン押下が検出されていないと判断された場合（ステップＳ５０６／ＮＯ）、次の処理に進まない。
【００５９】
ステップＳ５０７の処理で、原稿画像を読み取り後、例えば、図４（ａ）のような読み取った画像を画像記憶部２０３に記憶する（ステップＳ５０８）。
【００６０】
ステップＳ５０８の処理で、画像記憶部２０３に記憶された画像より、転写紙先端とテストパターン先端部分を画像認識部２０６にて抽出する（ステップＳ５０９）。および、転写紙手前とテストパターン手前の部分を画像認識部２０６にて、抽出する（ステップＳ５１５）。
【００６１】
ステップＳ５０９の処理後、例えば、図４（ｂ）のように抽出した転写紙先端と、テストパターン先端との距離を距離測定部２０７にて、測定する（ステップＳ５１０）。
【００６２】
ステップＳ５１０の処理で、メイン制御部２０４は、距離測定部２０７にて測定した値と、理論値との差を計算する（ステップＳ５１１）。
【００６３】
設定された紙種の調整値記憶部２０８に設定する（ステップＳ５１２）。また前回値を一時保存する。
【００６４】
また、ステップＳ５１５の処理で、転写紙手前とテストパターン手前の部分を画像認識部２０６にて抽出後、図４（ｂ）のように抽出した転写紙手前端とテストパターン手前端との距離を距離測定部２０７にて、測定する（ステップＳ５１６）。
【００６５】
測定した値と理論値との差を計算する（ステップＳ５１７）。計算後、設定された給紙段の調整値記憶部２０８に設定し、前回値を一時保存する。（ステップＳ５１８）。
【００６６】
ステップＳ５１２の処理、ステップＳ５１８の処理後、例えば、図３（ｂ）のテストパターンを出力する（ステップＳ５１３）。
【００６７】
出力されたテストパターンにて、操作者が調整として妥当である場合は、操作表示部２０１にて、前回値へ戻すを選択せず、調整値を前回値に変更せず、終了する（ステップＳ５１４）。
【００６８】
操作者が調整値を前回値に戻すを選択した場合は、調整値記憶部２０８にて、一時保存した値を調整値に設定し、終了する（ステップＳ５１９）。
【００６９】
画像と転写紙の位置調整を行う場合に、定規などを利用して、設定する調整値の測定を行い、かつ何度も微調整を行っていた作業を自動化することにより、簡便に行うことができるようになる。
【００７０】
最初からずれたテストパターンを出力し、そのずれ量より、実際の画像と転写紙のずれ量を計算し、調整値へ反映し、調整値反映後、そのテストパターンを自動的に出力することにより、従来の画像形成位置調整方法と比較して、簡単に調整でき、かつ調整する時間を短縮することを可能とする。
【実施例２】
【００７１】
本発明に係る画像形成装置において、好適に実施する第２の実施例を次に詳細に説明する。
【００７２】
本実施例に係る画像形成装置の装着されている全ての給紙段に対して調整するための処理を図２、図３、図４、図６を用いて説明する。
図６は、本実施例に係る画像形成装置の装着されている全ての給紙段に対しての調整処理を示すフローチャートである。
【００７３】
装着されている全ての給紙段に対して調整するとユーザによって指示される（ステップＳ６０１）。
【００７４】
装着されている給紙段が確認される（ステップＳ６０２）。
【００７５】
確認後、例えば、図３（ａ）のテストパターンを出力する（ステップＳ６０３）。これを全給紙段分繰り返す（ステップＳ６０４）。
【００７６】
全給紙段の出力が全て終了したら操作表示部２０１に"原台にテストパターンをセットし、開始押下"と表示する（ステップＳ６０５）。
【００７７】
表示後、圧板を開けた状態で、テストパターンと原稿台の原点の間に隙間をあけた状態で原稿をセットし、スタートボタンの押下がされた否かが判断される（ステップＳ６０６）。スタートボタンの押下がされたと判断された場合（ステップＳ６０６／ＹＥＳ）、画像入力部２０２にて原稿を読み取る（ステップＳ６０７）。スタートボタンの押下がされたと判断されていない場合（ステップＳ６０６／ＮＯ）、次の処理に進まない。
【００７８】
読み取り後、例えば、図４（ａ）のように読み取った画像を画像記憶部２０３に記憶する（ステップＳ６０８）。
【００７９】
その後、画像記憶部２０３に記憶された画像より、転写紙先端、テストパターン先端の部分を画像認識部２０６にて、抽出する（ステップＳ６０９）。
【００８０】
図４（ｂ）のように抽出した転写紙先端と、テストパターン先端との距離を距離測定部２０７にて、測定する（ステップＳ６１０）。
【００８１】
測定した値と理論値との差を計算する（ステップＳ６１１）。計算後、調整された給紙段の調整値記憶部２０８に設定し、前回値を一時保存する（ステップＳ６１２）。
【００８２】
そして、図３（ｂ）のテストパターンを出力する（ステップＳ６１３）。出力されたテストパターンにて、操作者が調整として妥当である場合は、前回値へ戻すを選択せず、調整値を前回値に変更するか否かを判断する（ステップＳ６１４）。
【００８３】
操作者が調整値を前回値に戻すと選択された場合は（ステップＳ６１４／ＮＯ）、一時保存した値を調整値に設定する（ステップＳ６１６）。
【００８４】
操作者が調整値を前回値に戻さないと選択された場合は（ステップＳ６１４／ＹＥＳ）、全給紙段が終了したか否かを確認する（ステップＳ６１５）。
【００８５】
全給紙段が終了していると確認された場合は（ステップＳ６１５／ＹＥＳ）、全処理を終了する。終了が確認されていない場合は（ステップＳ６１５／ＮＯ）、ステップＳ６１５の処理に戻り、全給紙段分繰り返す。
【００８６】
本実施例に係る画像形成装置によれば、実施例１に係る効果を有し、さらには、セットされている全ての給紙段に対しての調整処理を自動で行うことを可能とする。
【実施例３】
【００８７】
本発明に係る画像形成装置において、好適に実施する第３の実施例を次に詳細に説明する。
【００８８】
本実施例に係る画像形成装置において、セットされている全ての紙種に対して調整するための処理を図２、図３、図４、図７を用いて説明する。
図７は、本実施例に係る画像形成装置のセットされている全ての紙種に対しての調整処理を示すフローチャートである。
【００８９】
紙種全出力に対して調整すると指示される（ステップＳ７０１）。指示が選択されると、セットされていた紙種が確認される（ステップＳ７０２）。装着されている全ての給紙段に対して調整すると指示された場合同様な流れとなる。
【００９０】
全紙種に対してテストパターン出力が行なわれる（ステップＳ７０３）。
【００９１】
その後、全紙種が排紙完了か否かが判断される（ステップＳ７０４）。排紙完了と判断された場合（ステップＳ７０４／ＹＥＳ）、操作表示部２０１に"原台にテストパターンをセットし、開始押下"と表示する（ステップＳ７０５）。排紙完了が判断されない場合（ステップＳ７０４／ＮＯ）、次の処理に進まない。
【００９２】
表示後、圧板を開けた状態で、テストパターンと原稿台の原点の間に隙間をあけた状態で原稿をセットし、スタートボタンが押下されたか否かが判断される（ステップＳ７０６）。
【００９３】
スタートボタンの押下が検出された場合（ステップＳ７０６／ＹＥＳ）、画像入力部２０２にて原稿を読み取る（ステップＳ７０７）。スタートボタンの押下が検出されない場合（ステップＳ７０６／ＮＯ）、次の処理に進まない。
【００９４】
ステップＳ７０７の処理で、読み取り後、例えば、図４（ａ）のように読み取った画像を画像記憶部２０３に記憶する（ステップＳ７０８）。
【００９５】
その後、画像記憶部２０３に記憶された画像より、転写紙先端とテストパターン先端の部分を画像認識部２０６にて、抽出する（ステップＳ７０９）。
【００９６】
図４（ｂ）のように抽出した転写紙先端とテストパターン先端との距離を距離測定部２０７にて、測定する（ステップＳ７１０）。測定した値と理論値との差を計算する（ステップＳ７１１）。計算後、調整された紙種の調整値記憶部２０８に設定し、前回値を一時保存する（ステップ７１２）。
【００９７】
そして、図３（ｂ）のテストパターンを出力する（ステップＳ７１３）。出力されたテストパターンにて、操作者が調整として妥当である場合は、前回値へ戻すを選択せず、調整値を前回値に変更するか否かを判断する（ステップＳ７１４）。
【００９８】
操作者が調整値を前回値に戻すと選択された場合は（ステップＳ７１４／ＹＥＳ）、一時保存した値を調整値に設定する（ステップＳ７１６）。
【００９９】
操作者が調整値を前回値に戻さないと選択された場合は（ステップＳ７１４／ＮＯ）、全紙種調整が終了したか否かを確認する（ステップＳ７１５）。
【０１００】
全紙種調整が終了していると確認された場合は（ステップＳ７１５／ＹＥＳ）、全処理を終了する。終了が確認されていない場合は（ステップＳ７１５／ＮＯ）、ステップＳ７０５の処理に戻り、全紙種調整を繰り返す。
【０１０１】
本実施例に係る画像形成装置によれば、実施例１に係る効果を有し、さらには、セットされている全ての紙種に対しての調整処理を自動で行うことを可能とする。
【実施例４】
【０１０２】
本発明に係る画像形成装置において、好適に実施する第４の実施例を次に詳細に説明する。
【０１０３】
本実施例に係る画像形成装置の調整したい複数の給紙段を選択して行う場合の処理を図２、図３、図４、図８を用いて説明する。
図８は、本実施例に係る画像形成装置の調整したい複数の給紙段を選択して行う場合の処理を示すフローチャートである。
【０１０４】
選択給紙段出力が選択される（ステップＳ８０１）。選択後、調整する給紙段が選択される（ステップＳ８０２）。選択された給紙段に対して調整すると指示された場合も、装着されている全ての給紙段に対して調整するを指示された場合同様な流れとなる。
【０１０５】
選択された給紙段に対してテストパターン出力を行う（ステップＳ８０３）。
【０１０６】
その後、全給紙段が排紙完了されたか否かが判断される（ステップＳ８０４）。排紙完了されたと判断された場合（ステップＳ８０４／ＹＥＳ）、出力されたテストパターンの読取りと調整値設定を行う（ステップＳ８０５）。全給紙段が排紙完了されていないと判断された場合（ステップＳ８０４／ＮＯ）、次の処理に進まない。
【０１０７】
原稿台にテストパターンをセットし、スタート押下と表示する（ステップＳ８０５）。
【０１０８】
ステップＳ８０５の処理後、スタートボタンの押下が検出されたか否かが判断される（ステップＳ８０６）。押下が検出されると（ステップＳ８０６／ＹＥＳ）、原稿を読み取る処理に進む（ステップＳ８０７）。押下が検出されていないと（ステップＳ８０６／ＮＯ）、次の処理に進まない。
【０１０９】
ステップＳ８０７の処理で、原稿を読み取り後、例えば、図４（ａ）のように読み取った画像の記憶する画像部分を抽出し、画像記憶部２０３に記憶する（ステップＳ８０８）。
【０１１０】
その後、画像記憶部２０３に記憶された画像より、転写紙先端とテストパターン先端の部分を画像認識部２０６にて、抽出する（ステップＳ８０９）。
【０１１１】
図４（ｂ）のように抽出した転写紙先端とテストパターン先端との距離を距離測定部２０７にて、測定する（ステップＳ８１０）。測定した値と理論値との差を計算する（ステップＳ８１１）。計算後、調整された給紙段の調整値記憶部２０８に設定し、前回値を一時保存する（ステップ８１２）。
【０１１２】
そして、図３（ｂ）のテストパターンを出力する（ステップＳ８１３）。出力されたテストパターンにて、操作者が調整として妥当である場合は、前回値へ戻すを選択せず、調整値を前回値に変更するか否かを判断する（ステップＳ８１４）。
【０１１３】
操作者が調整値を前回値に戻すと選択された場合は（ステップＳ８１４／ＹＥＳ）、一時保存した値を調整値に設定する（ステップＳ８１６）。
【０１１４】
操作者が調整値を前回値に戻さないと選択された場合は（ステップＳ８１４／ＮＯ）、全給紙段分の調整処理が終了したか否かを確認する（ステップＳ８１５）。
【０１１５】
全給紙段分の調整処理が終了している場合は（ステップＳ８１５／ＹＥＳ）、終了する。終了していない場合は（ステップＳ８１５／ＮＯ）、ステップＳ８０５の処理に戻り、選択された給紙段分繰り返す。
【０１１６】
本実施例に係る画像形成装置によれば、実施例１に係る効果を有し、さらには、調整したい複数の給紙段をユーザが選択して行うことを可能とする。
【実施例５】
【０１１７】
本発明に係る画像形成装置において、好適に実施する第５の実施例を次に詳細に説明する。
【０１１８】
本実施例に係る画像形成装置における調整したい複数の紙種を選択して行う場合の処理を図２、図３、図４、図９を用いて説明する。
図９は、本実施例に係る画像形成装置の調整したい複数の紙種を選択して行う場合の処理を示すフローチャートである。
【０１１９】
選択された紙種に対して調整するを指示される（ステップＳ９０１）。指示後、調整する紙種を選択する（ステップＳ９０２）。選択された紙種に対して調整するを指示された場合も、装着されている全ての給紙段に対して調整するを指示された場合同様な流れとなる。
【０１２０】
選択された紙種に対してテストパターン出力を行なわれる（ステップＳ９０３）。
【０１２１】
その後、全紙種が排紙されたか否かが判断される（ステップＳ９０４）。
【０１２２】
排紙完了と判断された場合（ステップＳ９０４／ＹＥＳ）、操作表示部２０１に"原台にテストパターンをセットし、開始押下"と表示する（ステップＳ９０５）。排紙完了が判断されない場合（ステップＳ９０４／ＮＯ）、次の処理に進まない。
【０１２３】
表示後、圧板を開けた状態で、テストパターンと原稿台の原点の間に隙間をあけた状態で原稿をセットし、スタートボタンが押下されたか否かが判断される（ステップＳ９０６）。
【０１２４】
スタートボタンの押下が検出された場合（ステップＳ９０６／ＹＥＳ）、画像入力部２０２にて原稿を読み取る（ステップＳ９０７）。スタートボタンの押下が検出されない場合（ステップＳ９０６／ＮＯ）、次の処理に進まない。
【０１２５】
ステップＳ９０７の処理で、読み取り後、例えば、図４（ａ）のように読み取った画像を画像記憶部２０３に記憶する（ステップＳ９０８）。
【０１２６】
その後、画像記憶部２０３に記憶された画像より、転写紙先端とテストパターン先端の部分を画像認識部２０６にて、抽出する（ステップＳ９０９）。
【０１２７】
図４（ｂ）のように抽出した転写紙先端とテストパターン先端との距離を距離測定部２０７にて、測定する（ステップＳ９１０）。測定した値と理論値との差を計算する（ステップＳ９１１）。計算後、調整された紙種の調整値記憶部２０８に設定し、前回値を一時保存する（ステップ９１２）。
【０１２８】
そして、図３（ｂ）のテストパターンを出力する（ステップＳ９１３）。出力されたテストパターンにて、操作者が調整として妥当である場合は、前回値へ戻すを選択せず、調整値を前回値に変更するか否かを判断する（ステップＳ９１４）。
【０１２９】
操作者が調整値を前回値に戻すと選択された場合は（ステップＳ９１４／ＹＥＳ）、一時保存した値を調整値に設定する（ステップＳ９１６）。
【０１３０】
操作者が調整値を前回値に戻さないと選択された場合は（ステップＳ９１４／ＮＯ）、全紙種調整が終了したか否かを確認する（ステップＳ９１５）。
【０１３１】
全紙種調整が終了していると確認された場合は（ステップＳ９１５／ＹＥＳ）、全処理を終了する。終了が確認されていない場合は（ステップＳ９１５／ＮＯ）、ステップＳ９０５の処理に戻り、選択された紙種分繰り返す。
【０１３２】
本実施例に係る画像形成装置によれば、実施例１に係る効果を有し、さらには、調整したい複数の紙種をユーザが選択して行うことを可能とする。
【実施例６】
【０１３３】
本発明に係る画像形成装置において、好適に実施する第６の実施例について説明する。
【０１３４】
本実施例に係る画像形成装置におけるテストパターンを選択して、出力する場合の動作を図１０を用いて説明する。
図１０は、本実施例に係る画像形成装置のテストパターンを選択して、出力する場合の処理を示すフローチャートである。
【０１３５】
自動的に調整するのではなくテストパターンだけを出力する場合の流れは、次のようになる。まず、紙種を選択する（ステップＳ１００１）。
【０１３６】
次に、給紙するトレイを選択し（ステップＳ１００２）、テストパターンを選択する（ステップＳ１００３）。その後、テストパターンを出力する（ステップＳ１００４）。出力後、テストパターン出力完了となる（ステップＳ１００５）。
【０１３７】
本実施例に係る画像形成装置によれば、ユーザが任意にテストパターンを選択可能とする。これにより、ユーザは、自動的に調整するのではなく、自分好みの画像を目視で選択可能となる。
【図面の簡単な説明】
【０１３８】
【図１】本実施形態に係る画像形成装置の構成の一例を示す概観図である。
【図２】本実施形態に係る画像形成装置の内部構成の一例を示す制御ブロック図である。
【図３】本発明に係る画像形成装置の調整時に出力するテストパターンの一例を示す図であり、（ａ）は、調整前にする出力するテストパターンを示す図である。（ｂ）は、調整後に出力するテストパターンを示す図である。
【図４】本発明に係る画像形成装置の読み取り時の画像のイメージの一例を示す図であり、（ａ）は、読み取り後の画像のイメージを示す図である。（ｂ）は、読み取り時に測定する距離を示す図である。
【図５】第１の実施例に係る画像形成装置の調整するテストパーンの出力と読取り、調整値設定の流れを示すフローチャート図である。
【図６】第２の実施例に係る画像形成装置の装着されている全ての給紙段に対しての調整処理を示すフローチャート図である。
【図７】第３の実施例に係る画像形成装置のセットされている全ての紙種に対しての調整処理を行う流れを示すフローチャート図である。
【図８】第４の実施例に係る画像形成装置の調整したい複数の給紙段を選択して行う場合の調整処理を示すフローチャート図である。
【図９】第５の実施例に係る画像形成装置の調整したい複数の紙種を選択して行う場合の調整処理を示すフローチャート図である。
【図１０】第６の実施例に係る画像形成装置のテストパターンを選択して、出力する場合の調整処理を示すフローチャート図である。
【符号の説明】
【０１３９】
１００    操作部
１０１    読み取り部
１０２    画像形成部
１０３    トレイ給紙部
１０４    トレイ給紙部
１０５    レジスト部
１０６    中間転写部
１０７    定着部
１０８    排紙部
２０１    情報表示部（表示手段）
２０２    画像入力部（画像入力手段）
２０３    画像記憶部（記憶手段）
２０４    メイン制御部（制御手段）
２０５    画像出力部（出力手段）
２０６    画像認識部（認識手段）
２０７    距離測定部（測定手段）
２０８    調整値記憶部（調整値記憶手段）
【図１】
2008281950.tif 000003
【図２】
2008281950.tif 000004
【図３】
2008281950.tif 000005
【図４】
2008281950.tif 000006
【図５】
2008281950.tif 000007
【図６】
2008281950.tif 000008
【図７】
2008281950.tif 000009
【図８】
2008281950.tif 000010
【図９】
2008281950.tif 000011
【図１０】
2008281950.tif 000012